(57)【要約】【課題】従来よりも広告の配付を効率的かつ効果的に行う。【解決手段】配付を依頼された広告ごとに広告主が宣伝したい内容を示す宣伝情報７１を記憶する広告データベース２Ａ１と、各顧客の関心を示す関心情報７５を記憶する関心事データベース２Ａ２と、各顧客が広告の受取りを希望しているか否かをその顧客の関心情報７５およびその広告の宣伝情報７１に基づいて判別する受取希望判別部２０２と、印刷装置３に対して、その判別の結果を示す受取希望情報７６とその広告を印刷するための印刷データ７７とを送信することによって、受取りを希望する顧客の分だけその広告を印刷する処理と、受取りを希望する顧客ごとにその印刷物を仕分けして排出する処理と、を行うように指令する印刷データ送信部２０４と、を広告管理サーバ２に設ける。【選択図】　　　図６
2004053649.tif 000002
【特許請求の範囲】
【請求項１】
広告主から配付するように依頼された広告の印刷物を需要者ごとに分けて排出する印刷装置に対して印刷指令を与える広告管理サーバであって、
前記広告ごとに広告主が宣伝したい内容を示す宣伝情報を記憶する広告データベースと、
前記各需要者の関心を示す関心情報を記憶する関心情報データベースと、
前記各需要者が前記広告の受取りを希望しているか否かを前記関心情報および当該広告の前記宣伝情報に基づいて判別する受取希望判別手段と、
前記印刷装置に対して、前記広告に関する前記受取希望判別手段による判別結果と当該広告を印刷するための印刷データとを送信することによって、当該判別結果および当該印刷データに基づいて受取りを希望する需要者の分の当該広告を印刷する処理と、印刷された当該広告の印刷物を当該判別結果に基づいて当該需要者ごとに仕分けして排出する処理と、を行うように指令する指令手段と、
を有してなることを特徴とする広告管理サーバ。
【請求項２】
広告主から配付するように依頼された広告の印刷物を需要者ごとに分けて排出する印刷装置に対して印刷指令を与える広告管理サーバであって、
前記広告ごとに広告主が宣伝したい内容を示す宣伝情報を記憶する広告データベースと、
前記各需要者の関心を示す関心情報を記憶する関心情報データベースと、
同じ種類のサービスを記載した前記広告が複数ある場合に、前記各需要者が当該複数の広告のうちのいずれの広告の受取りを希望するかを当該複数の広告の前記各宣伝情報および前記関心情報に基づいて判別する希望広告判別手段と、
前記印刷装置に対して、前記複数の広告に関する前記希望広告判別手段による判別結果と当該複数の広告のそれぞれの印刷のための印刷データとを送信することによって、当該判別結果および当該各印刷データに基づいて当該複数の広告をそれぞれ受取りを希望する需要者の分印刷する処理と、印刷されたそれぞれの印刷物を当該判別結果に基づいて当該需要者ごとに仕分けして排出する処理と、を行うように指令する指令手段と、
を有してなることを特徴とする広告管理サーバ。
【請求項３】
広告主から配付するように依頼された広告の印刷物を需要者ごとに分けて排出する印刷装置に対して印刷指令を与える広告管理サーバであって、
前記各広告主が取り扱う各商品の商品情報を記憶する商品データベースと、
需要者の希望を満たすために必要であり、当該需要者が指定する条件に最も近い１または複数種類の商品を、前記各広告主が取り扱う各商品の中から当該各商品の前記商品情報に基づいて選択する商品選択手段と、
選択された各商品を掲載した広告を印刷するための印刷データを生成する印刷データ生成手段と、
前記印刷装置に対して、生成された前記印刷データを前記需要者と対応付けて送信することによって、前記選択された各商品を掲載した広告を当該印刷データに基づいて印刷する処理と、印刷された当該広告の印刷物を当該需要者の排紙位置に排出する処理と、を行うように指令する指令手段と、
を有してなることを特徴とする広告管理サーバ。
【請求項４】
広告主から配付するように依頼された広告の印刷物を需要者ごとに分けて排出する印刷装置に対して印刷指令を与える広告管理サーバであって、
前記各広告に掲載されたサービスごとの価格情報を記憶する広告データベースと、
需要者によって指定されたサービスが掲載された前記各広告の前記価格情報を抽出する抽出手段と、
抽出された前記各価格情報に基づいて、前記指定されたサービスの価格の履歴を記載した資料を印刷するための印刷データを生成する印刷データ生成手段と、前記印刷装置に対して、生成された前記印刷データを前記需要者と対応付けて送信することによって、前記資料を当該印刷データに基づいて印刷する処理と、印刷された当該資料の印刷物を当該需要者の排紙位置に排出する処理と、を行うように指令する指令手段と、
を有してなることを特徴とする広告管理サーバ。
【請求項５】
広告主から配付するように依頼された広告の印刷物を需要者ごとに仕分けして排出する印刷装置に対して印刷指令を与える広告管理サーバであって、
前記広告ごとに広告主が宣伝したい内容を示す宣伝情報を記憶する広告データベースと、
需要者ごとに当該需要者の関心を示す関心情報を記憶する関心情報データベースと、
前記需要者の前記関心情報および前記各広告の前記宣伝情報に基づいて、当該各広告のうち当該需要者にとって最も関心のある内容を含む広告を判別する広告判別手段と、
判別された広告および需要者全員に共通の内容の広告を含むオリジナル広告を印刷するための印刷データを、当該判別された広告の前記宣伝情報および当該共通の内容の広告の前記宣伝情報に基づいて生成する印刷データ生成手段と、
前記印刷装置に対して、生成された前記印刷データを前記需要者と対応付けて送信することによって、前記オリジナル広告を当該印刷データに基づいて印刷する処理と、印刷された当該オリジナル広告の印刷物を当該需要者の排紙位置に排出する処理と、を行うように指令する指令手段と、
を有してなることを特徴とする広告管理サーバ。
【発明の詳細な説明】
【０００１】
【発明の属する技術分野】
本発明は、各家庭に配付する広告のデータの管理および印刷装置に対する広告の印刷の指令を行う広告管理サーバに関する。
【０００２】
【従来の技術】
従来より、広告を印刷した印刷物すなわちチラシは、新聞に折り込まれて各家庭に配付される。この方法は、特定の地域の家庭に集中的にチラシを行き渡らせることができる点で優れている。しかし、受け取る者の興味の有無に関わらず配付されるので、配付されたチラシの枚数の割にはチラシを受け取った人々の反応が小さい。したがって、広告主は、広告の内容に興味を持ってくれそうな人にターゲットを絞ってチラシを配付することによって、配付の効率を高め、コストを削減したいと考えている。
【０００３】
一方、チラシを受け取る者も、興味のある内容であればチラシを受け取ってもよいが、興味のない内容であればチラシは無駄でありゴミになるだけなので受け取りたくないと考えている。
【０００４】
そこで、受取りを希望する者に対してのみ電子メールによって広告を配信する方法が提案されている。
【０００５】
【発明が解決しようとする課題】
ところが、電子メールによると文字でしか情報を伝えることができないので、インパクトがない。いわゆるＨＴＭＬ（Ｈｙｐｅｒｔｅｘｔ　Ｍａｒｋｕｐ　Ｌａｎｇｕａｇｅ　）メールであれば画像情報を含めることができるが、折込みのチラシのような読みやすいレイアウトにすることが難しいので、やはり読み手に与えるインパクトが小さい。携帯電話装置に対して配信される電子メールであれば、なおさらである。
【０００６】
パーソナルコンピュータで電子メールを読む場合はインターネットプロバイダにダイアルアップ接続しなければならないので、せっかく最新の情報を配信しても、すぐには読んでもらえないことが多い。また、チラシは一般にコーヒーを飲んだり会話をしたりテレビを見たりしながら読まれることが多いので、電子メールによる情報は読み手にとって必ずしも手軽で便利なものであるとは言えない。
【０００７】
このように、電子メールは希望者を選んで情報を配信することが容易なので無駄をなくしてコストを削減することができるが、その反面、インパクトおよび読みやすさの点で折込みのチラシのメリットを損なってしまう。また、電子メールは、特定の地域に集中的に配信することが難しいという問題点も有する。つまり、電子メールによって広告を配信する方法は、必ずしも従来の折込みの広告よりも効果があるとは言えない。
【０００８】
本発明は、このような問題点に鑑み、従来よりも広告の配付を効率的かつ効果的に行うための広告管理サーバを提供することを目的とする。
【０００９】
【課題を解決するための手段】
本発明に係る広告管理サーバは、広告主から配付するように依頼された広告の印刷物を需要者ごとに分けて排出する印刷装置に対して印刷指令を与える広告管理サーバであって、前記広告ごとに広告主が宣伝したい内容を示す宣伝情報を記憶する広告データベースと、前記各需要者の関心を示す関心情報を記憶する関心情報データベースと、前記各需要者が前記広告の受取りを希望しているか否かを前記関心情報および当該広告の前記宣伝情報に基づいて判別する受取希望判別手段と、前記印刷装置に対して、前記広告に関する前記受取希望判別手段による判別結果と当該広告を印刷するための印刷データとを送信することによって、当該判別結果および当該印刷データに基づいて受取りを希望する需要者の分の当該広告を印刷する処理と、印刷された当該広告の印刷物を当該判別結果に基づいて当該需要者ごとに仕分けして排出する処理と、を行うように指令する指令手段とを有してなる。
【００１０】
好ましくは、同じ種類のサービスを記載した前記広告が複数ある場合に、前記各需要者が当該複数の広告のうちのいずれの広告の受取りを希望するかを当該複数の広告の前記各宣伝情報および前記関心情報に基づいて判別する希望広告判別手段と、前記印刷装置に対して、前記複数の広告に関する前記希望広告判別手段による判別結果と当該複数の広告のそれぞれの印刷のための印刷データとを送信することによって、当該判別結果および当該各印刷データに基づいて当該複数の広告をそれぞれ受取りを希望する需要者の分印刷する処理と、印刷されたそれぞれの印刷物を当該判別結果に基づいて当該需要者ごとに仕分けして排出する処理と、を行うように指令する指令手段とを有してなる。
【００１１】
または、前記各広告主が取り扱う各商品の商品情報を記憶する商品データベースと、需要者の希望を満たすために必要であり、当該需要者が指定する条件に最も近い１または複数種類の商品を、前記各広告主が取り扱う各商品の中から当該各商品の前記商品情報に基づいて選択する商品選択手段と、選択された各商品を掲載した広告を印刷するための印刷データを生成する印刷データ生成手段と、前記印刷装置に対して、生成された前記印刷データを前記需要者と対応付けて送信することによって、前記選択された各商品を掲載した広告を当該印刷データに基づいて印刷する処理と、印刷された当該広告の印刷物を当該需要者の排紙位置に排出する処理と、を行うように指令する指令手段とを有してなる。
【００１２】
または、前記各広告に掲載されたサービスごとの価格情報を記憶する広告データベースと、需要者によって指定されたサービスが掲載された前記各広告の前記価格情報を抽出する抽出手段と、抽出された前記各価格情報に基づいて、前記指定されたサービスの価格の履歴を記載した資料を印刷するための印刷データを生成する印刷データ生成手段と、前記印刷装置に対して、生成された前記印刷データを前記需要者と対応付けて送信することによって、前記資料を当該印刷データに基づいて印刷する処理と、印刷された当該資料の印刷物を当該需要者の排紙位置に排出する処理とを有してなる。
【００１３】
または、需要者ごとに当該需要者の関心を示す関心情報を記憶する関心情報データベースと、前記需要者の前記関心情報および前記各広告の前記宣伝情報に基づいて、当該各広告のうち当該需要者にとって最も関心のある内容を含む広告を判別する広告判別手段と、判別された広告および需要者全員に共通の内容の広告を含むオリジナル広告を印刷するための印刷データを、当該判別された広告の前記宣伝情報および当該共通の内容の広告の前記宣伝情報に基づいて生成する印刷データ生成手段と、前記印刷装置に対して、生成された前記印刷データを前記需要者と対応付けて送信することによって、前記オリジナル広告を当該印刷データに基づいて印刷する処理と、印刷された当該オリジナル広告の印刷物を当該需要者の排紙位置に排出する処理と、を行うように指令する指令手段とを有してなる。
【００１４】
なお、本発明において、サービスの種類には、例えば、大根、玉ねぎ、または魚などの食料品、住宅、家具、衣類、または電化製品などの物の販売、またはチケットの手配、クリーニング、または美容相談などの役務の提供など種々の形態のものが含まれる。また、需要者とは、広告主が提供するこれらの種類のサービスを受ける顧客をいう。
【００１５】
【発明の実施の形態】
〔第一の実施形態〕
図１は本発明に係る広告印刷システム１の構成の例を示す図、図２は印刷装置３のハードウェア構成の例を示す図、図３は２ヶ所の排紙位置を用いてチラシのソーティングを行う方法の例を説明する図、図４はチラシのイメージデータの例を示す図、図５は広告管理サーバ２のハードウェア構成の例を示す図、図６は広告管理サーバ２の機能的構成の例を示す図、図７は広告データベース２Ａ１の構成および内容の例を示す図、図８は顧客情報データベース２Ａ３の構成および内容の例を示す図、図９は関心事データベース２Ａ２の構成および内容の例を示す図、図１０は受取希望情報７６の例を示す図、図１１は配達地図画面ＨＧ１の例を示す図である。
【００１６】
本発明に係る広告印刷システム１は、図１に示すように、広告管理サーバ２、印刷装置３、および端末装置４などによって構成される。広告管理サーバ２は、ネットワーク５を介して印刷装置３および端末装置４と接続することができる。ネットワーク５として、インターネット、イントラネット、公衆回線、または専用線などが用いられる。また、通信プロトコルとしてＴＣＰ／ＩＰおよびその上位プロトコルであるＨＴＴＰ（Ｈｙｐｅｒｔｅｘｔ　Ｔｒａｎｓｆｅｒ　Ｐｒｏｔｏｃｏｌ　）、ＩＰＰ（Ｉｎｔｅｒｎｅｔ　Ｐｒｉｎｔｉｎｇ　Ｐｒｏｔｏｃｏｌ）などが用いられる。
【００１７】
印刷装置３として、例えば、Ａ４〜Ａ３ほどのサイズの用紙にカラー印刷が可能な高速度かつ高画質のプリンタが用いられる。この印刷装置３は、新聞を配達する拠点である新聞配達所ごとに少なくとも１台ずつ設けられており、各家庭（顧客）に配る新聞に折り込む折込み広告すなわちチラシを印刷するために用いられる。
【００１８】
印刷装置３は、図２（ａ）に示すように、ＣＰＵ３０ａ、ＲＡＭ３０ｂ、ＲＯＭ３０ｃ、操作ボタン３０ｄ、印刷機構３０ｅ、排紙機構３０ｆ、入出力インタフェース３０ｇ、および通信インタフェース３０ｈなどによって構成される。ＲＯＭ３０ｃには、後に説明する処理を行うための種々のプログラムおよびデータが記憶されている。
【００１９】
また、印刷装置３は、ＩＰＰ対応に対応している。したがって、広告管理サーバ２などから送信された印刷データは、広告印刷システム１の内外に設けられているルータまたはファイアウォールなどを通過して印刷装置３に届けられる。この印刷データは、ＲＡＭ３０ｂに記憶される。ＣＰＵ３０ａは、記憶された印刷データに基づいてＲＯＭ３０ｃに記憶されているプログラムを実行する。これにより、印刷機構３０ｅによって印刷の処理が行われ、各家庭に配付するためのチラシが排紙機構３０ｆに排出される。
【００２０】
または、図２（ｂ）に示すように、入出力インタフェース３０ｇを介して印刷装置３’　にパーソナルコンピュータ（パソコン３Ｐ）を接続し、印刷装置３’　およびパソコン３Ｐによって１組の広告印刷用の印刷装置を構成してもよい。この場合は、パソコン３Ｐには、印刷装置３’　を制御するためのアプリケーションプログラムなどをインストールしておく。これにより、印刷装置３’　のユーザは、操作ボタン３０ｄの代わりにパソコン３Ｐのキーボードまたはマウスを用いて印刷装置３’　を簡単に操作することができる。また、通信処理をパソコン３Ｐに行わせるので、印刷装置３’　の処理の負荷を軽減することができる。
【００２１】
排紙機構３０ｆは、配付予定のチラシを家庭（顧客）ごとにソーティング（仕分け）して排出することができる。例えば、図２（ａ）の排紙機構３０ｆには、顧客Ｐ１〜Ｐｍの分の排紙トレイ３０ｔ１〜３０ｔｍが設けられている。各排紙トレイ３０ｔは、新聞の配達順に並べられている。または、顧客分の排紙トレイ３０ｔの代わりに、複数の排紙位置を用意しておき、排紙位置を交互に変えながら新聞の配達順にチラシを排出するように構成してもよい。例えば、図３に示すように、チラシが縦長または横長のいずれか一方の向きで排出されるように排紙機構３０ｆを構成し、顧客Ｐ１、Ｐ２、…に配付するチラシの束Ｔｐ１、Ｔｐ２、…が排紙位置を交互に変えながら排出されるようにしてもよい。
【００２２】
端末装置４は、広告主である会社または商店などに設置されており、顧客に対して宣伝したい自社のサービスなどに関する情報を入力するために用いられる。例えば、住宅販売会社Ｒは、自社で取り扱う物件の価格、場所、または間取りなどに関する情報を入力する。端末装置４には、スキャナまたはデジタルカメラなどが接続されており、写真またはイラストなどの画像を取得することができる。入力された情報および生成された画像は、それぞれ、宣伝情報７１および画像データ７２として広告管理サーバ２に送信される。端末装置４として、パーソナルコンピュータまたはワークステーションなどが用いられる。
【００２３】
また、端末装置４の磁気記憶装置には、ＤＴＰ（Ｄｅｓｋｔｏｐ　Ｐｕｂｌｉｓｈｉｎｇ）用のアプリケーションソフトがインストールされており、見出し文、広告文、および写真またはイラストなどの画像をレイアウトして、図４に示すようなチラシのイメージデータを作成することができる。作成されたイメージデータは、チラシデータ７３として広告管理サーバ２に送信される。宣伝情報７１、画像データ７２、およびチラシデータ７３の入力などの作業は、広告主の代わりに広告代理店の従業員などが行ってもよい。
【００２４】
広告管理サーバ２は、端末装置４から取得した宣伝情報７１などの管理、新聞の配達先の家庭（顧客）の個人情報の管理、およびどのチラシ（広告）をどの家庭に配付するのかを決定する処理などを行う。広告管理サーバ２は、図５に示すように、ＣＰＵ２０ａ、ＲＡＭ２０ｂ、ＲＯＭ２０ｃ、磁気記憶装置２０ｄ、ディスプレイ装置２０ｅ、およびマウスまたはキーボードなどの入力装置２０ｆなどによって構成される。
【００２５】
磁気記憶装置２０ｄには、オペレーティングシステム（ＯＳ）および後に説明する各機能を実現するための種々のプログラムおよびデータが記憶されている。これらのプログラムは、ＣＤ−ＲＯＭ、ＭＯ、またはＤＶＤ−ＲＯＭなどの記録媒体ＳＴから磁気記憶装置２０ｄにインストールされる。これらのプログラムおよびデータは必要に応じてＲＡＭ２０ｂにロードされ、ＣＰＵ２０ａによって実行される。広告管理サーバ２として、ＵＮＩＸ（登録商標）サーバ、ワークステーション、またはパーソナルコンピュータなどが用いられる。
【００２６】
広告管理サーバ２の運営は、新聞配達所自身が行ってもよいし、新聞社、新聞配達所と取引のある広告代理店、または複数の商店などで構成される団体（例えば商店街の組合）が行ってもよい。広告代理店などの代わりにインターネットプロバイダなどが運営を行ってもよい。
【００２７】
このような構成により、広告管理サーバ２には、図６に示すように、広告データ受信部２０１、受取希望判別部２０２、チラシデータ生成部２０３、印刷データ送信部２０４、配達順情報送信部２０５、広告データベース２Ａ１、関心事データベース２Ａ２、および顧客情報データベース２Ａ３などの機能が実現される。
【００２８】
広告データ受信部２０１は、広告主の端末装置４から送信された宣伝情報７１、画像データ７２、またはチラシデータ７３を受信する。また、その宣伝情報７１に係る広告を配付する時期の指定を受け付ける。広告データベース２Ａ１は、図７に示すように、受信された宣伝情報７１などを記憶している。
【００２９】
図７の宣伝情報７１（７１ｒ１、７１ｒ２、…）には、住宅販売会社Ｒのチラシｒ１、ｒ２、…の内容を示す情報が含まれる。例えば、チラシに掲載される物件の種類（カテゴリ）、間取り、場所、価格、売出し期間（広告の有効期限）、引渡し可能な時期（納期）、およびこれらの情報の登録日などに関する情報が含まれる。画像データ７２は、チラシに挿入される写真、間取図、または周辺の地図などのデータである。
【００３０】
広告主の端末装置４によって図４に示すようなチラシのイメージデータ（チラシデータ７３）が作成されなかった場合は、図６のチラシデータ生成部２０３は、宣伝情報７１および画像データ７２に基づいてチラシデータ７３を生成し、広告データベース２Ａ１に記憶させる。
【００３１】
顧客情報データベース２Ａ３は、図８に示すように、新聞の配達先である家庭（顧客）の住所および電話番号などの個人情報とその家庭への配達を担当する新聞配達所および配達員を示す情報とを、顧客情報７４として記憶している。顧客情報データベース２Ａ３において、各顧客情報７４は、新聞の配達順に並べられている。したがって、図８の各顧客情報７４によると、新聞配達所Ａの配達員ａ１は顧客Ｐ１、Ｐ２、Ｐ３、…の順に新聞を配達し、新聞配達所Ｂの配達員ｂ１は顧客Ｑ１、Ｑ２、Ｑ３、…の順に新聞を配達することが分かる。
【００３２】
関心事データベース２Ａ２は、各家庭の家族が興味または関心を持っている事柄または購入を希望する商品などを示す関心情報７５を記憶する。例えば、図９に示すように、住宅についての関心または希望を示す関心情報７５を記憶する。
【００３３】
顧客情報７４および関心情報７５は、各家庭から回収した登録用紙（アンケート用紙）に記述された回答結果に基づいて、住宅販売会社Ｒの社員、広告管理サーバ２の管理者、または広告代理店の従業員によって入力される。または、広告管理サーバ２に入力フォームを用意しておき、顧客が自分のパソコンまたは携帯電話装置などを操作してこれらの情報を入力できるように構成してもよい。ただし、顧客情報７４において、担当の新聞配達所は、その顧客の住所によって必然的に決まる。また、担当の配達員は、配達手段（バイクまたは自転車など）、配達区域の事情（交通量、マンションであるか住宅街であるか、区域内の配達部数など）、および配達員の能力などを考慮して新聞配達所の責任者が決める。
【００３４】
受取希望判別部２０２は、顧客がチラシ（広告）の受取りを希望しているか否かの判別を行う。判別は、そのチラシの宣伝情報７１およびそれぞれの顧客の関心情報７５に基づいて次のように行われる。
【００３５】
例えば、顧客Ｐ１がチラシｒ１の受取りを希望しているか否かを判別する場合は、関心事データベース２Ａ２から関心情報７５ｐ１を抽出し（図９参照）、広告データベース２Ａ１から宣伝情報７１ｒ１を抽出する（図７参照）。抽出された関心情報７５ｐ１と宣伝情報７１ｒ１とを比較する。すると、チラシｒ１の物件は、カテゴリ、間取り、場所、および価格の４つの項目について顧客Ｐ１の希望に合うことが分かる。そして、この比較結果および予め設定されたルールに基づいて顧客の希望の有無を最終的に判別する。例えば、顧客の希望に合う項目の個数が所定の個数以上（例えば３つ以上）であれば受取りを希望しているとするルールが設定されている場合は、顧客Ｐ１はチラシｒ１の受取りを希望していると判別する。判別のルールは、広告主の営業方針などに応じて自由に設定される。同様に、受取希望判別部２０２は、他の顧客Ｐ２、Ｐ３、…がチラシｒ１の受取りを希望しているか否かを判別すると、図１０に示すように、チラシｒ１についての受取希望情報７６が得られる。
【００３６】
印刷データ送信部２０４は、広告（チラシ）を印刷するための印刷データ７７を生成し、印刷装置３に送信する。これにより、印刷装置３に対するチラシの印刷指令がなされる。印刷データ７７は、その広告のチラシデータ７３を印刷装置３の機種に対応した印刷ジョブに変換することによって生成される。また、印刷データ送信部２０４は、印刷データ７７とともにそのチラシの受取希望情報７６を印刷装置３に送信する。
【００３７】
なお、チラシの印刷データ７７および受取希望情報７６の送信のタイミングは、そのチラシの配付時期に基づいて決められる（図７参照）。例えば、配付時期が６月２４日の夕刊配達時であるチラシｒ２の場合は、当日の朝刊の仕分作業が完了して排紙トレイ３０ｔが空になってから夕刊の配達に出掛ける所定の時間前（例えば１０分前）までの時間帯に送信を行う。以下、このような時間帯を「広告受付時間帯」と記載する。
【００３８】
広告管理サーバ２から送信された印刷データ７７および受取希望情報７６は、印刷装置３において、図２に示すように通信インタフェース３０ｈによって受信され、ＲＡＭ３０ｂに記憶される。印刷機構３０ｅは、受取希望情報７６に示される人数分すなわち受取りを希望する顧客の分のチラシ（広告）を印刷データ７７に基づいて印刷する。
【００３９】
そして、排紙機構３０ｆは、受取希望情報７６に基づいて受取りを希望するそれぞれの顧客の排紙トレイ３０ｔに、印刷されたチラシを排出する。同様に、広告受付時間帯に広告管理サーバ２から印刷データ７７および受取希望情報７６が送信されてくるごとに、チラシを印刷し、受取りを希望するそれぞれの顧客の排紙トレイ３０ｔに排出する。このようにして、新聞に折り込む一組のチラシの束が顧客ごとに仕分される。
【００４０】
ただし、排紙機構３０ｆが顧客ごとの排紙トレイ３０ｔを有しない場合は、新聞に折り込むすべてのチラシの印刷データ７７が受信されるまで（広告受付時間帯が過ぎるまで）、印刷を開始するのを待つ。そして、広告受付時間帯が過ぎてから、ＲＡＭ３０ｂに蓄えられたすべての印刷データ７７および受取希望情報７６に基づいて、図３に示すように各顧客のチラシが束になるように印刷および仕分けを行う。
【００４１】
なお、印刷装置３は、仕分けされたチラシの束をどの顧客に配付すればよいのかを配達員に分かりやすくするために、例えば、各束の一番上になるチラシに顧客の名前または配達の順番を印刷する。この配達の順番は、後に説明する配達員に付与される地図（図１１参照）の番号と一致する。
【００４２】
図６に戻って、配達順情報送信部２０５は、印刷データ送信部２０４が送信した印刷データ７７などに基づいて印刷されたチラシを折り込んだ新聞を配達する配達員に対して、その配達員が担当する配達の順序を示す配達順情報７８を付与するための処理を行う。
【００４３】
配達順情報７８は、顧客情報データベース２Ａ３に記憶されている各顧客情報７４（図８参照）およびその配列の順番に基づいて生成される。例えば、配達員ａ１に付与する配達順情報７８は、配達員ａ１が担当する顧客Ｐ１、Ｐ２、…の顧客情報７４およびその配列の順番に基づいて生成される。
【００４４】
生成された配達順情報７８は、配達員がＰＤＡ（Ｐｅｒｓｏｎａｌ　Ｄｉｇｉｔａｌ　Ａｓｓｉｓｔａｎｔ）または携帯電話装置などの携帯型端末装置を所有している場合は、その携帯型端末装置に対して配達順情報７８を送信する。すると、携帯型端末装置の表示面には、図１１に示すような配達地図画面ＨＧ１が表示される。携帯型端末装置にＧＰＳ（Ｇｌｏｂａｌ　Ｐｏｓｉｔｉｏｎｉｎｇ　Ｓｙｓｔｅｍ　）機能が設けられている場合は、配達地図画面ＨＧ１に、配達員の現在位置を示すマークを表示してもよい。
【００４５】
携帯型端末装置を有していない場合は、配達順情報７８を印刷ジョブに変換して印刷装置３に送信する。配達員は、印刷装置３によって印刷された地図を受け取って配達に出掛ける。このように、配達員は、その地区の担当になったばかりであっても、与えられた地図を見ることによって、道に迷うことなくすぐに一人で新聞配達を行うことができる。
【００４６】
第一の実施形態によると、チラシの配付の対象を、チラシの内容に関心のありそうな顧客に絞ることによって、チラシ１枚当たりの宣伝の効果を高めることができる。また、広告の仕分けに要する時間が従来よりも少なくて済むので、急なチラシ配付の依頼があっても、直ちに印刷および仕分けの処理を行い、新聞配達の開始時刻までに間に合わせることができる。例えば、生鮮食料品を扱う商店は、午前中の売れ行きを見てから夕方の特売のチラシの配付を依頼し、その日の夕刊に折り込んでもらうことができる。
〔第二の実施形態〕
図１２は広告管理サーバ２Ｂの機能的構成の例を示す図、図１３は広告データベース２Ｂ１の構成および内容の例を示す図、図１４は関心事データベース２Ｂ２の構成および内容の例を示す図、図１５は受取希望情報７６Ｂの例を示す図である。
【００４７】
第一の実施形態では、広告（チラシ）ごとに顧客が受取りを希望するか否かを判別し、判別結果に応じてその配付先を決めた。第二の実施形態では、同じ種類のサービスを掲載する広告が複数ある場合に、顧客の希望に近いサービスを掲載する広告を選んで顧客に配付する。
【００４８】
本実施形態の広告印刷システム１の構成は、第一の実施形態の場合と同じである（図１参照）。ただし、上に述べたような処理の内容の違いにより、図１２に示す広告管理サーバ２Ｂの機能的構成は、第一の実施形態の広告管理サーバ２の機能的構成（図６参照）とは若干異なっている。
【００４９】
広告データベース２Ｂ１は、図６の広告データベース２Ａ１と同様に、広告主の端末装置４から受信した宣伝情報７１Ｂなどを図１３のように記憶する。図１３の宣伝情報７１Ｂ（７１Ｂ１、７１Ｂ２）は、それぞれ、同じ商店街にある八百屋Ｓ、八百屋Ｔのチラシｓ１、ｔ１の作成などのために用いられる。チラシｓ１、ｔ１は、新聞に折り込まれて配付される予定である。
【００５０】
関心事データベース２Ｂ２は、関心事データベース２Ａ２と同様に、各家庭の家族が関心を持っている事柄や購入を希望する商品などを示す関心情報７５Ｂを記憶する。本実施形態では、図１４に示すように、食料品に関する関心情報７５Ｂ（７５Ｂ１、７５Ｂ２、…）を記憶する。黒い四角のマークは、特に関心が強い事項を示している。
【００５１】
広告選択部２２２は、同じ種類のサービスを宣伝しかつ同じ時期に配付される広告（チラシ）が複数ある場合に、希望に近いサービスを宣伝するほうの広告を顧客ごとに選択する。選択は、それぞれの顧客の関心情報７５Ｂに基づいて行われる。
【００５２】
例えば、図１３のように、同じサービス（大根の提供）を宣伝しかつ同じ時期（６月３０日の朝刊）に配付されるチラシｓ１、ｔ１がある場合は、関心情報７５Ｂ１に基づいて顧客Ｐ１は新鮮な大根を掲載するチラシｓ１の受取りを希望していると判別する。よって、顧客Ｐ１についてはチラシｓ１が選択される。同様に、顧客Ｐ２については、関心情報７５Ｂ２に基づいて、安い大根を掲載するチラシｔ１が選択される。なお、顧客Ｐ３のように新鮮な大根および安い大根の両方に関心がある場合または顧客Ｐ４のように大根に関して特に指定がない場合は、チラシｓ１、ｔ１の両方を選択する。または、どちらのチラシも選択しないようにしてもよいし、他の事項に基づいていずれか一方を選択してもよい。このように各顧客の希望を判別し、広告を選択した結果、図１５に示すような受取希望情報７６Ｂが得られる。
【００５３】
印刷データ送信部２２４は、図６の印刷データ送信部２０４と同様に、チラシｓ１、ｔ１を印刷するための印刷データ７７ｓ、７７ｔを生成し、印刷装置３に送信する。また、印刷データとともに受取希望情報７６Ｂを送信する。広告データ受信部２２１、チラシデータ生成部２２３、配達順情報送信部２２５、および顧客情報データベース２Ｂ３は、図６の広告データ受信部２０１、チラシデータ生成部２０３、配達順情報送信部２０５、および顧客情報データベース２Ａ３と同様の処理を行う。
【００５４】
印刷装置３は、第一の実施形態の場合と同様に、広告管理サーバ２Ｂから取得した印刷データ７７ｓ、７７ｔおよび受取希望情報７６Ｂに基づいて受取りを希望する顧客の分のチラシｓ１、ｔ１を印刷し、各顧客の排紙トレイ３０ｔに排出する。
【００５５】
第二の実施形態によると、顧客の希望により近いチラシを選択して配付することによって、チラシ１枚当たりの宣伝の効果を高めることができる。また、印刷枚数を減らし、コストの削減を図ることができる。
【００５６】
なお、第一および第二の実施形態において、どのチラシをどの顧客に配布するのかを、顧客の希望だけでなく広告主の希望も考慮して決めるようにしてもよい。この場合に、広告主は、チラシごとに配付したい対象の年齢、地域（担当の新聞配達所）、性別、家族構成、または過去の購買記録などの条件を指定する。図６の受取希望判別部２０２および図１２の広告選択部２２２は、顧客の希望とともに広告主の希望に基づいてチラシを配付するか否かを判別する。つまり、顧客および広告主の双方の意思が合った場合に、チラシが配付されることになる。
〔第三の実施形態〕
図１６は広告管理サーバ２Ｃの機能的構成の例を示す図、図１７は広告データベース２Ｃ１の構成および内容の例を示す図、図１８は商品選択部２３２による選択結果の例を示す図、図１９はオリジナルのチラシのイメージデータの例を示す図、図２０は商品の売値の変動を表す資料の例を示す図である。
【００５７】
本実施形態では、複数の広告に基づいて顧客の希望に応じたオリジナルの広告を作成し、その顧客に配付する。本実施形態の広告印刷システム１の構成は、第一および第二の実施形態の場合と同じである（図１参照）。ただし、オリジナルの広告を作成する処理を行うために、広告管理サーバ２Ｃは、図１６に示すような機能的構成を採用する。
【００５８】
広告データベース２Ｃ１は、図６の広告データベース２Ａ１などと同様に、広告主の端末装置４から受信した宣伝情報７１Ｃなどを図１７のように記憶する。本実施形態では、宣伝情報７１Ｃ１、７１Ｃ２などは、それぞれ、同じ商店街にある商店Ｕ、Ｖのチラシｕ１、ｖ１の作成などのために用いられる。チラシｕ１、ｖ１は、同じ時期に配達される新聞（７月１日の夕刊）に折り込まれて配付される予定である。
【００５９】
要求受付部２３６は、顧客の希望に合ったオリジナルの広告を作成し配達する旨の要求を顧客から受け付ける。例えば、ある顧客が、夕食の献立としてカレーを選び、夕方に商店街までカレーの材料を買いに出掛ける予定であるとする。顧客は、自分のパソコンまたは携帯電話装置などを操作し、安い材料を掲載したチラシをその日の夕刊に折り込んで配達するように広告管理サーバ２Ｃに対して要求する。
【００６０】
顧客からの要求が受け付けられると、商品選択部２３２は、複数の広告の中から顧客の要求に合う商品を選択する。上記のカレーに関する要求が受け付けられた場合は、夕刊に折り込まれて配付される予定のチラシｕ１、ｖ１に掲載されるカレーの材料（商品）の中からそれぞれ安いものを１つずつ選択する。これにより、図１８に示すような選択結果が得られる。
【００６１】
チラシデータ生成部２３３は、この選択結果に基づいて、図１９に示すような顧客の要求に応じたオリジナルのチラシのイメージデータ（チラシデータ７３）を生成する。図１９に示すチラシには、選択された各商品の価格（売値）を掲載しているが、鮮度または画像などを併せて掲載してもよい。印刷データ送信部２３４は、このチラシデータ７３を印刷装置３の機種に対応した印刷ジョブに変換することによって印刷データ７７を生成し、このチラシを要求した顧客と対応付けて担当の新聞配達所の印刷装置３に送信する。
【００６２】
印刷装置３は、第一または第二の実施形態の場合と同様に、広告管理サーバ２Ｃから取得した印刷データ７７に基づいてオリジナルのチラシを印刷する。そして、このチラシを要求した顧客の排紙トレイ３０ｔに排出する。
【００６３】
広告データ受信部２３１、配達順情報送信部２３５、および顧客情報データベース２Ｃ３は、それぞれ、図６の広告データ受信部２０１、配達順情報送信部２０５、および顧客情報データベース２Ａ３などと同様の処理を行う。その他、広告管理サーバ２Ｃおよび印刷装置３は、顧客の要求に応じたオリジナルの広告ではなく通常の広告を配付する場合は、第一または第二の実施形態と同様の処理を行う。
【００６４】
なお、広告データベース２Ｃ１に過去のチラシの宣伝情報７１Ｃを蓄積しておき、顧客が知りたい商品の売値の変動を記した資料を作成し、配付してもよい。例えば、顧客から「ＡＢＣしょうゆ」という商品の売値の変動に関する資料が要求された場合に、図２０に示すような資料を生成し、チラシとともに新聞に折り込んでその顧客に配付してもよい。
【００６５】
第三の実施形態によると、顧客は、欲しい商品の価格などを比較する広告や過去の商品の価格の変動を示す資料を得ることができる。広告主は、ライバルの商店と比較される広告を顧客に配付することによって、顧客の注目を集めることができる。また、商店間の競争が注目されるので、商店街全体として顧客の来店の促進を図ることができる。
〔第四の実施形態〕
図２１は広告管理サーバ２Ｄの機能的構成の例を示す図、図２２は広告データベース２Ｄ１の構成および内容の例を示す図、図２３はオリジナルのチラシの例を示す図である。
【００６６】
本実施形態では、顧客ごとに異なる商品を一部分に掲載した広告を作成して配付する。本実施形態の広告印刷システム１の構成は、第一ないし第三の実施形態の場合と同じである（図１参照）。ただし、広告管理サーバ２Ｄは、図２１に示すような機能的構成を採用する。
【００６７】
広告データベース２Ｄ１は、図６の広告データベース２Ａ１などと同様に、広告主の端末装置４から受信した宣伝情報７１Ｄおよび画像データ７２Ｄなどを図２２のように記憶する。宣伝情報７１Ｄは、商店街に加盟している商店が共同して発行する広告（チラシ）の作成などに用いられる。本実施形態では、顧客ごとに宣伝情報７１Ｄに含まれる商品の組合せを変えたチラシを作成し配付する。宣伝情報７１Ｄのうち「種別」の項目が「共通」である商品は、すべての顧客のチラシに掲載される。「選択」である商品は、顧客ごとに掲載されるか否かが決められる。
【００６８】
関心事データベース２Ｄ２は、関心事データベース２Ｂ２と同様に、顧客ごとの食料品に関する関心情報７５Ｂ（７５Ｂ１、７５Ｂ２、…）を記憶する（図１４参照）。
【００６９】
商品選択部２４２は、宣伝情報７１Ｄの「種別」の項目が「選択」である商品の中から、顧客ごとにその顧客の希望に最も近いものを関心情報７５Ｂに基づいて選択する。例えば、顧客Ｐ１の場合は、関心情報７５Ｂ１に基づいて商店Ｂの「新鮮な大根」が選択される。顧客Ｐ４の場合は、関心情報７５Ｂ４に基づいて商店Ｂ、Ｃそれぞれの「青森産りんご」が選択される。
【００７０】
チラシデータ生成部２４３は、商品選択部２４２による選択結果、選択された商品の宣伝情報７１Ｄおよび画像データ７２Ｄ、および全顧客に共通の商品の宣伝情報７１Ｄおよび画像データ７２Ｄに基づいて図２３のような顧客ごとのオリジナルの広告（チラシ）を生成する。
【００７１】
チラシは、顧客ごとに選択された商品が掲載される選択商品領域ＷＤｐと共通の商品が掲載される共通商品領域ＷＤｋとによって構成される。例えば、顧客Ｐ１向けのチラシ場合は、図２３（ａ）に示すように、顧客Ｐ１の希望に最も適した新鮮な大根が選択商品領域ＷＤｐに掲載され、全顧客に共通の商品であるじゃが芋および鯛が共通商品領域ＷＤｋに掲載されたチラシのイメージデータ（チラシデータ７３Ｚａ）が生成される。顧客Ｐ４向けのチラシの場合は、図２３（ｂ）に示すように、商店Ｂ、Ｃのそれぞれで販売される青森産りんごが選択商品領域ＷＤｐに掲載されたチラシのチラシデータ７３Ｚｂが生成される。
【００７２】
印刷データ送信部２４４は、生成されたこれらのチラシデータ７３Ｚ（７３Ｚａ、７３Ｚｂ、…）を印刷装置３の機種に対応した印刷ジョブに変換することによって印刷データ７７を生成し、それぞれの顧客と対応付けて担当の新聞配達所の印刷装置３に送信する。
【００７３】
印刷装置３は、第一ないし第三の実施形態の場合と同様に、広告管理サーバ２Ｄから取得した印刷データ７７に基づいて顧客ごとに応じた内容のチラシ（オリジナル広告）を印刷する。そして、印刷されたチラシをそれぞれの顧客の排紙トレイ３０ｔに排出する。
【００７４】
広告データ受信部２４１、配達順情報送信部２４５、および顧客情報データベース２Ｄ３は、それぞれ、図６の広告データ受信部２０１、配達順情報送信部２０５、および顧客情報データベース２Ａ３などと同様の処理を行う。その他、広告管理サーバ２Ｄおよび印刷装置３は、オリジナルの広告ではなく通常の広告を配付する場合は、第一または第二の実施形態と同様の処理を行う。
【００７５】
第四の実施形態によると、広告主は、すべての顧客に対して重要な情報を宣伝するとともに、顧客ごとに希望に応じた情報を宣伝するができる。
なお、第四の実施形態では、図１４に示すように顧客の関心が特に強い事項を黒い四角のマークによって表したが、関心の高い順に点数を付けてもよい。例えば、図１４の顧客Ｐ１の関心情報７５Ｂ１において、「新鮮な大根」、「安い大根」、…をそれぞれ「１０点」、「９点」、…のように点数を付けておく。そして、図２１の商品選択部２４２は、点数の最も高い商品（新鮮な大根）の広告を選択し、その広告がない場合はその次に点数の高い商品（安い大根）の広告を選択するようにしてもよい。
【００７６】
図２４は顧客ごとに受取りを希望するか否かを判別してチラシを配付する場合の広告印刷システム１の処理の流れの例を説明するフローチャート、図２５は顧客の要求に応じたオリジナル広告を配付する場合の広告印刷システム１の処理の流れの例を説明するフローチャート、図２６は図２３に示すようなオリジナル広告を配付する場合の広告印刷システム１の処理の流れの例を説明するフローチャートである。
【００７７】
次に、広告印刷システム１の全体の処理の流れを、フローチャートを参照して説明する。図２４〜図２６で説明する広告管理サーバは、第一ないし第四の実施形態で述べた広告管理サーバ２〜２Ｄの機能を有している。
【００７８】
図２４において、広告管理サーバは、各家庭（顧客）に宣伝したい広告の内容を示す宣伝情報およびその広告に掲載する商品の画像データなどを広告主から取得する。これにより、広告の配付の依頼の受付けが行われる（＃１１）。画像データの代わりに、既に完成したチラシのイメージデータを取得してもよい。取得された宣伝情報などは、広告データベースに記憶される。
【００７９】
受け付けられた広告の宣伝情報と各顧客の関心情報とを比較して、この広告の配付を希望しているか否かを顧客ごとに判別する（＃１２）。これにより、図１０に示すような判別結果が得られる。なお、図１３に示すように、複数の広告主から同じ配付時期に同じ種類のサービスを宣伝（掲載）する広告の配付依頼があった場合は、顧客ごとに希望に近いサービスが掲載された広告を選択（判別）する。この場合は、図１５のような判別結果が得られる。
【００８０】
受け付けられた広告を印刷するための印刷データを生成し、判別結果とともに印刷装置に送信する（＃１３）。また、配達員の携帯型端末装置に、配達地図を表示するための配達順情報を送信する（＃１４）。配達員が携帯型端末装置を持っていない場合は、印刷装置に配達順情報を送信する。
【００８１】
一方、印刷装置は、受信した印刷データおよび判別結果に基づいて、受取りを希望する顧客の分の広告を印刷し（＃１５）、その印刷物（チラシ）を各顧客の排紙トレイに排出する（＃１６）。
【００８２】
また、広告管理サーバは、図２５に示すように、例えば安いカレーの材料を掲載した広告の配付の要求を顧客から受け付けると（＃２１）、係る要求に合った広告（図１９参照）を印刷するための印刷データを生成する（＃２２）。または、顧客が指定した商品の価格の変動を示す資料（図２０参照）を印刷するための印刷データを生成する。
【００８３】
生成した印刷データを要求元の顧客と対応付けて印刷装置に送信する（＃２３）。一方、印刷装置は、受信した印刷データに基づいて広告または資料を印刷し（＃２４）、その印刷物をその顧客の排紙トレイに排出する（＃２５）。
【００８４】
また、広告管理サーバは、図２６に示すように、顧客ごとに異なる内容を含んだオリジナルの広告の配信の依頼を広告主から受け付けると（＃３１）、図２３のような顧客ごとのオリジナルの広告を生成する（＃３２）。そして、これらのオリジナルの広告を印刷するための印刷データを生成し、それぞれの顧客に対応付けて印刷装置に送信する（＃３３）。
【００８５】
一方、印刷装置は、受信した印刷データに基づいて顧客ごとのオリジナル広告を印刷し（＃３４）、その印刷物をそれぞれの顧客の排紙トレイに排出する（＃３５）。
【００８６】
新聞の配達に出掛ける所定の時間前（広告受付時間帯が過ぎる）まで、必要に応じて図２４、図２５、および図２６に示す各処理を繰り返す。これにより、各顧客の排紙トレイには、新聞に折り込まれるチラシまたは資料が次々に仕分けされて蓄積する。そして、新聞の配達の開始時間になったら、配達員は、各排紙トレイに蓄積したチラシまたは資料の束を持って、新聞配達に出掛ける。なお、配達員は、携帯型端末装置を有しない場合は、印刷装置によって印刷された配達地図を携帯して出掛ける。
【００８７】
第一ないし第四の実施形態によると、必要なチラシなどを顧客ごとに仕分けして配付するので、チラシ１枚当たりの宣伝効果を高めるとともに、配付するチラシの枚数を減らし、広告主の広告費を削減することができる。また、顧客（需要者）は、有意義なチラシを効率的に入手し、無駄なチラシの受取りを減らすことができる。
【００８８】
また、配達順を示す地図を配達人に与えることによって、誰でもすぐにその地域の配達を担当することができる。これにより、新聞配達所は、人件費を削減することができる。
【００８９】
なお、第一ないし第四の実施形態において、広告主（商店など）は、配付したチラシを持参した顧客に対してサービスポイントを与え、サービスポイントの合計に応じて種々の景品を与えるようにしてもよい。この場合は、各商店にはサービスポイントを発行するための端末装置を設置し、広告管理サーバ２には各商店が発行したサービスポイントおよび各顧客が取得したサービスポイントを管理するためのデータベースを設けておく。
【００９０】
これにより、各商店は、顧客に対する来店の促進を図るとともに、自ら発行したサービスポイントに基づいて広告（チラシ）の効果を知ることができる。発行したサービスポイントが多いほど、そのチラシは多くの顧客に読まれ、そのチラシが顧客に対して与える影響（満足度）が大きいと言えるからである。また、各商店が与えたサービスポイントの統計を取ることによって、顧客に信用されている商店を知ることができる。長期間に渡って継続的に多くのサービスポイントを発行する商店は、リピート客が多く、信用度が高いと言えるからである。
【００９１】
多くのサービスポイントを発行した商店の広告を優先的に配付するように広告印刷システム１を構成してもよい。例えば、第四の実施形態において、商店街のチラシの共通商品領域ＷＤｋに（図２３参照）、商店街の中で最も多くのサービスポイントを発行した商店の広告を掲載するようにしてもよい。このように最も人気のある商店の情報を掲載することによって、チラシへの注目度を高め、商店街に訪れる顧客を増やすように促進することができる。
【００９２】
本発明は、新聞の折込み広告のほかダイレクトメール（ＤＭ）またはパンフレットの印刷などに用いることができる。例えば、全国各地にあるＤＭの配送センターごとに図１の印刷装置３を設置しておく。配送センターは、その地域に住む顧客ごとに、希望の情報が掲載された種々のＤＭを仕分けして印刷する。そして、配送センターは、仕分けられたＤＭの入った封筒または小包を郵便または宅配便などでその顧客の自宅へ送る。このように、種々のＤＭをまとめて送ることによって、郵便または宅配便の費用を抑えることができる。顧客へのＤＭの送付をその地域の配送センターが担当することによって、郵送（運送）の時間を短縮することができる。
【００９３】
または、住宅販売会社の営業所ごとに印刷装置３を設置しておき、その地域に住む顧客ごとに、希望の物件が掲載されたパンフレットを仕分けして印刷する。第四の実施形態のチラシのように顧客ごとのオリジナルのパンフレットを印刷してもよい。これにより、セールスマンは、それぞれの顧客に適したパンフレットを用いてスムーズにセールスを行い、すぐに顧客のニーズに応えることができる。また、営業所に配属されたばかりのセールスマンであっても、図１１に示すような配達地図画面ＨＧ１を自分の携帯型端末装置に表示させて参照することによって、すぐにその地域のセールスを行うことができる。
【００９４】
または、町内会ごとに印刷装置３を設置しておき、町内の住民ごとにチラシを印刷し、配付してもよい。町内会の行事のお知らせや市役所の発行する広報などをチラシとともに仕分けして配付してもよい。
【００９５】
その他、広告印刷システム１、広告管理サーバ２、２Ｂ、２Ｃ、２Ｄ、印刷装置３、端末装置４の全体または各部の構成、各データベースの構成および内容、処理内容、処理順序などは、本発明の趣旨に沿って適宜変更することができる。（付記１）
広告主から配付するように依頼された広告の印刷物を需要者ごとに分けて排出する印刷装置に対して印刷指令を与える広告管理サーバであって、
前記広告ごとに広告主が宣伝したい内容を示す宣伝情報を記憶する広告データベースと、
前記各需要者の関心を示す関心情報を記憶する関心情報データベースと、
前記各需要者が前記広告の受取りを希望しているか否かを前記関心情報および当該広告の前記宣伝情報に基づいて判別する受取希望判別手段と、
前記印刷装置に対して、前記広告に関する前記受取希望判別手段による判別結果と当該広告を印刷するための印刷データとを送信することによって、当該判別結果および当該印刷データに基づいて受取りを希望する需要者の分の当該広告を印刷する処理と、印刷された当該広告の印刷物を当該判別結果に基づいて当該需要者ごとに仕分けして排出する処理と、を行うように指令する指令手段と、
を有してなることを特徴とする広告管理サーバ。
（付記２）
広告主から配付するように依頼された広告の印刷物を需要者ごとに分けて排出する印刷装置に対して印刷指令を与える広告管理サーバであって、
前記広告ごとに広告主が宣伝したい内容を示す宣伝情報を記憶する広告データベースと、
前記各需要者の関心を示す関心情報を記憶する関心情報データベースと、
同じ種類のサービスを記載した前記広告が複数ある場合に、前記各需要者が当該複数の広告のうちのいずれの広告の受取りを希望するかを当該複数の広告の前記各宣伝情報および前記関心情報に基づいて判別する希望広告判別手段と、
前記印刷装置に対して、前記複数の広告に関する前記希望広告判別手段による判別結果と当該複数の広告のそれぞれの印刷のための印刷データとを送信することによって、当該判別結果および当該各印刷データに基づいて当該複数の広告をそれぞれ受取りを希望する需要者の分印刷する処理と、印刷されたそれぞれの印刷物を当該判別結果に基づいて当該需要者ごとに仕分けして排出する処理と、を行うように指令する指令手段と、
を有してなることを特徴とする広告管理サーバ。
（付記３）
広告主から配付するように依頼された広告の印刷物を需要者ごとに分けて排出する印刷装置に対して印刷指令を与える広告管理サーバであって、
前記各広告主が取り扱う各商品の商品情報を記憶する商品データベースと、
需要者の希望を満たすために必要であり、当該需要者が指定する条件に最も近い１または複数種類の商品を、前記各広告主が取り扱う各商品の中から当該各商品の前記商品情報に基づいて選択する商品選択手段と、
選択された各商品を掲載した広告を印刷するための印刷データを生成する印刷データ生成手段と、
前記印刷装置に対して、生成された前記印刷データを前記需要者と対応付けて送信することによって、前記選択された各商品を掲載した広告を当該印刷データに基づいて印刷する処理と、印刷された当該広告の印刷物を当該需要者の排紙位置に排出する処理と、を行うように指令する指令手段と、
を有してなることを特徴とする広告管理サーバ。
（付記４）
広告主から配付するように依頼された広告の印刷物を需要者ごとに分けて排出する印刷装置に対して印刷指令を与える広告管理サーバであって、
前記各広告に掲載されたサービスごとの価格情報を記憶する広告データベースと、
需要者によって指定されたサービスが掲載された前記各広告の前記価格情報を抽出する抽出手段と、
抽出された前記各価格情報に基づいて、前記指定されたサービスの価格の履歴を記載した資料を印刷するための印刷データを生成する印刷データ生成手段と、前記印刷装置に対して、生成された前記印刷データを前記需要者と対応付けて送信することによって、前記資料を当該印刷データに基づいて印刷する処理と、印刷された当該資料の印刷物を当該需要者の排紙位置に排出する処理と、を行うように指令する指令手段と、
を有してなることを特徴とする広告管理サーバ。
（付記５）
広告主から配付するように依頼された広告の印刷物を需要者ごとに仕分けして排出する印刷装置に対して印刷指令を与える広告管理サーバであって、
前記広告ごとに広告主が宣伝したい内容を示す宣伝情報を記憶する広告データベースと、
需要者ごとに当該需要者の関心を示す関心情報を記憶する関心情報データベースと、
前記需要者の前記関心情報および前記各広告の前記宣伝情報に基づいて、当該各広告のうち当該需要者にとって最も関心のある内容を含む広告を判別する広告判別手段と、
判別された広告および需要者全員に共通の内容の広告を含むオリジナル広告を印刷するための印刷データを、当該判別された広告の前記宣伝情報および当該共通の内容の広告の前記宣伝情報に基づいて生成する印刷データ生成手段と、
前記印刷装置に対して、生成された前記印刷データを前記需要者と対応付けて送信することによって、前記オリジナル広告を当該印刷データに基づいて印刷する処理と、印刷された当該オリジナル広告の印刷物を当該需要者の排紙位置に排出する処理と、を行うように指令する指令手段と、
を有してなることを特徴とする広告管理サーバ。
（付記６）
前記印刷装置によって印刷された前記広告を各需要者に配付する配付人に対して、配付する順番を示す配付順情報を指示する配付順指示手段を有し、
前記指令手段は、印刷された前記広告、前記資料、または前記オリジナル広告の印刷物を前記配付順情報に示される順番に並ぶように排出するように指令する、
付記１ないし付記５のいずれかに記載の広告印刷システム。
（付記７）
広告主から配付するように依頼された広告に関する情報を管理するサーバと、印刷データに基づいて印刷を行う印刷装置と、を有してなる広告印刷システムであって、
前記サーバと前記印刷装置とはネットワークを介して接続されており、
前記サーバには、
前記広告ごとに広告主が宣伝したい内容を示す宣伝情報を記憶する広告データベースと、
需要者の関心を示す関心情報を記憶する関心情報データベースと、
各需要者が前記広告の受取りを希望しているか否かを前記関心情報および当該広告の前記宣伝情報に基づいて判別する受取希望判別手段と、
前記広告に関する前記受取希望判別手段による判別結果と当該広告を印刷するための印刷データである広告印刷データとを前記印刷装置に送信する送信手段と、が設けられ、
前記印刷装置には、
前記広告の前記判別結果と前記広告印刷データとを前記サーバから受信する受信手段と、
受信した前記判別結果および前記広告印刷データに基づいて受取りを希望する需要者の分の前記広告を印刷する印刷手段と、
受信した前記判別結果に基づいて、印刷された前記広告の印刷物を、受取りを希望する需要者ごとに仕分けされるように排出する排出手段と、が設けられ、
てなることを特徴とする広告印刷システム。
【００９６】
【発明の効果】
本発明によると、広告主は、従来よりも広告の配付を効率的かつ効果的に行うことができる。また、広告の仕分けに掛かる時間を短縮することができる。
【図面の簡単な説明】
【図１】本発明に係る広告印刷システムの構成の例を示す図である。
【図２】印刷装置のハードウェア構成の例を示す図である。
【図３】２ヶ所の排紙位置を用いてチラシのソーティングを行う方法の例を説明する図である。
【図４】チラシのイメージデータの例を示す図である。
【図５】広告管理サーバのハードウェア構成の例を示す図である。
【図６】広告管理サーバの機能的構成の例を示す図である。
【図７】広告データベースの構成および内容の例を示す図である。
【図８】顧客情報データベースの構成および内容の例を示す図である。
【図９】関心事データベースの構成および内容の例を示す図である。
【図１０】受取希望情報の例を示す図である。
【図１１】配達地図画面の例を示す図である。
【図１２】広告管理サーバの機能的構成の例を示す図である。
【図１３】広告データベースの構成および内容の例を示す図である。
【図１４】関心事データベースの構成および内容の例を示す図である。
【図１５】受取希望情報の例を示す図である。
【図１６】広告管理サーバの機能的構成の例を示す図である。
【図１７】広告データベースの構成および内容の例を示す図である。
【図１８】商品選択部による選択結果の例を示す図である。
【図１９】オリジナルのチラシのイメージデータの例を示す図である。
【図２０】商品の売値の変動を表す資料の例を示す図である。
【図２１】広告管理サーバの機能的構成の例を示す図である。
【図２２】広告データベースの構成および内容の例を示す図である。
【図２３】オリジナルのチラシの例を示す図である。
【図２４】顧客ごとに受取りを希望するか否かを判別してチラシを配付する場合の広告印刷システムの処理の流れの例を説明するフローチャートである。
【図２５】顧客の要求に応じたオリジナル広告を配付する場合の広告印刷システムの処理の流れの例を説明するフローチャートである。
【図２６】図２３に示すようなオリジナル広告を配付する場合の広告印刷システムの処理の流れの例を説明するフローチャートである。
【符号の説明】
１　広告印刷システム
２　広告管理サーバ
２Ｂ　広告管理サーバ
２Ｃ　広告管理サーバ
２Ｄ　広告管理サーバ
２０２　受取希望判別部
２０４、２２４、２３４、２４４　印刷データ送信部（指令手段）
２２２　広告選択部（希望広告判別手段）
２３２　商品選択部（商品選択手段、抽出手段）
２３３　チラシデータ生成部（印刷データ生成手段）
２４２　商品選択部（広告判別手段）
２４３　チラシデータ生成部（印刷データ生成手段）
２Ａ１、２Ｂ１、２Ｄ１　広告データベース
２Ａ２、２Ｂ２、２Ｄ２　関心事データベース
２Ｃ１　広告データベース（商品データベース）
３　印刷装置
７１、７１Ｂ、７１Ｃ、７１Ｄ　宣伝情報
７５、７５Ｂ　関心情報
７６、７６Ｂ　受取希望情報（判別結果）
７７、７７ｓ、７７ｔ　印刷データ
【図１】
2004053649.tif 000003
【図２】
2004053649.tif 000004
【図３】
2004053649.tif 000005
【図４】
2004053649.tif 000006
【図５】
2004053649.tif 000007
【図６】
2004053649.tif 000008
【図７】
2004053649.tif 000009
【図８】
2004053649.tif 000010
【図９】
2004053649.tif 000011
【図１０】
2004053649.tif 000012
【図１１】
2004053649.tif 000013
【図１２】
2004053649.tif 000014
【図１３】
2004053649.tif 000015
【図１４】
2004053649.tif 000016
【図１５】
2004053649.tif 000017
【図１６】
2004053649.tif 000018
【図１７】
2004053649.tif 000019
【図１８】
2004053649.tif 000020
【図１９】
2004053649.tif 000021
【図２０】
2004053649.tif 000022
【図２１】
2004053649.tif 000023
【図２２】
2004053649.tif 000024
【図２３】
2004053649.tif 000025
【図２４】
2004053649.tif 000026
【図２５】
2004053649.tif 000027
【図２６】
2004053649.tif 000028